(57)【特許請求の範囲】
【請求項１】
建物に庇本体部を取り付けるための庇の取付構造であって、
前記庇本体部の厚さ寸法よりも縦長の固定部を有する複数のアーム部材と、
前記アーム部材の挿通用の孔が設けられた前記庇本体部の軒元に沿って取り付けられる長尺の化粧部材とを有し、
前記庇本体部の軒元に沿って間隔を置いて取り付けられた前記アーム部材を介して建物内部構成部材に固定され、前記化粧部材が前記アーム部材の外方から被せられていることを特徴とする庇の取付構造。
【請求項２】
前記アーム部材には、前記建物内部構成部材に固定させるための複数のボルトが装着されているとともに、下段のボルトが上段のボルトよりも短く形成されていることを特徴とする請求項１に記載の庇の取付構造。
【請求項３】
前記庇本体部の軒元の前記アーム部材間には、前記化粧部材の嵌合孔に嵌め込まれた凸部が設けられていることを特徴とする請求項１又は２に記載の庇の取付構造。
【請求項４】
前記庇本体部は、前記軒元から前記建物の外方に向かって突出する外部補強材を両側縁の外側面側に備えていることを特徴とする請求項１乃至３のいずれか一項に記載の庇の取付構造。
【請求項５】
前記庇本体部は、前記軒元から前記建物の外方に向かって突出する内部補強材を両側縁の内側面側に備えていることを特徴とする請求項１乃至４のいずれか一項に記載の庇の取付構造。
【請求項６】
前記内部補強材は、前記軒元近辺で軒元の中央に向けて屈曲されて傾斜部が形成されていることを特徴とする請求項５に記載の庇の取付構造。
【請求項７】
前記庇本体部と前記アーム部材とは溶接によって固定されていることを特徴とする請求項１乃至６のいずれか一項に記載の庇の取付構造。
【請求項８】
前記アーム部材は、四角筒状に形成されていることを特徴とする請求項１乃至７のいずれか一項に記載の庇の取付構造。
【請求項９】
前記化粧部材の表面の中間部には、長手方向に沿って、目隠板が略水平方向に突出して設けられていることを特徴とする請求項１乃至８のいずれか一項に記載の庇の取付構造。
【請求項１０】
前記目隠板の先端部が下方に傾斜していることを特徴とする請求項９に記載の庇の取付構造。
【発明の詳細な説明】
【技術分野】
【０００１】
本発明は、建物に庇本体部を取り付けるための庇の取付構造に関するものである。
【背景技術】
【０００２】
従来から、玄関ポーチなどの庇を建物とは別体で製作し、後から建物側に取り付ける庇の取付構造が多数提案され、実施されている（特許文献１−３など参照）。
【０００３】
例えば、特許文献１には、玄関ポーチ庇の基端部から固定ボルトを建物側に突出させ、建物の間柱に固定ボルトを介して取り付けられる庇の取付構造が開示されている。
【０００４】
また、特許文献２には、ポーチ庇の取付け部の上縁から建物側に張り出された取付け金具を、建物の天井梁の上面に引っ掛けて取付け部の下部をボルトで建物側に固定する玄関ポーチの取付け構造が開示されている。
【０００５】
さらに、特許文献３には、庇本体と同じ厚さの基端部を建物の側面に密着させ、ボルトとナットによって固定する玄関ポーチ庇の取付構造が開示されている。
【先行技術文献】
【特許文献】
【０００６】
【特許文献１】特開２０００−９６７０３号公報
【特許文献２】特開２０００−２３０３０２号公報
【特許文献３】特開平５−９３４４７号公報
【発明の概要】
【発明が解決しようとする課題】
【０００７】
ここで、特許文献１，２に開示された庇の取付構造は、特許文献３に開示された庇の取付構造に比べれば、庇本体部の支持強度が高い。すなわち庇本体部の付け根（軒元）の部分には大きなせん断力が作用するため、特許文献１，２の庇の取付構造では、この付け根の部分を幅広にして対応している。
【０００８】
しかしながら、帯状の幅広の付け根の部分が必須となるため設計の自由度が低くなるうえに、庇周辺や玄関ポーチを多様な意匠性を呈する外観にすることが難しくなる。
【０００９】
そこで、本発明は、庇本体部の支持強度が高いうえに、設計の自由度が高く、多様な意匠性を呈することができる庇の取付構造を提供することを目的としている。
【課題を解決するための手段】
【００１０】
前記目的を達成するために、本発明の庇の取付構造は、建物に庇本体部を取り付けるための庇の取付構造であって、前記庇本体部の厚さ寸法よりも縦長の固定部を有する複数のアーム部材と、前記アーム部材の挿通用の孔が設けられた前記庇本体部の軒元に沿って取り付けられる長尺の化粧部材とを有し、前記庇本体部の軒元に沿って間隔を置いて取り付けられた前記アーム部材を介して建物内部構成部材に固定され、前記化粧部材が前記アーム部材の外方から被せられていることを特徴とする。
【００１１】
ここで、前記庇本体部は、前記軒元から前記建物の外方に向かって突出する外部補強材を両側縁の外側面側に備えている構成とすることができる。また、前記庇本体部は、前記軒元から前記建物の外方に向かって突出する内部補強材を両側縁の内側面側に備えている構成とすることができる。さらに、前記内部補強材は、前記軒元近辺で軒元の中央に向けて屈曲していることが好ましい。
【００１２】
また、前記庇本体部と前記アーム部材とは溶接によって固定されていることが好ましい。さらに、前記アーム部材は、四角筒状に形成されているのが好ましい。
【００１３】
また、前記化粧部材の表面の中間部には、長手方向に沿って、目隠板が略水平方向に突出して設けられている構成とすることができる。さらに、前記目隠板の先端部が下方に傾斜していることが好ましい。
【発明の効果】
【００１４】
このように構成された本発明の庇の取付構造は、庇本体部の厚さ寸法よりも縦長の固定部を有する複数のアーム部材と、アーム部材の挿通用の孔が設けられた庇本体部の軒元に沿って取り付けられる長尺の化粧部材とを有する。
【００１５】
また、アーム部材は、庇本体部の軒元に沿って間隔を置いて取り付けられるとともに庇本体部を建物内部構成部材に固定させるために使用され、化粧部材がアーム部材の外方から被せられる。
【００１６】
このように建物内部構成部材に固定されるアーム部材の固定部側が庇本体部の厚さ寸法よりも縦長のため、庇本体部の支持強度が高い。そのうえ、庇本体部の軒元にアーム部材が取り付けられる構成であるため、庇本体部には様々な構造のものを採用でき、設計の自由度が高いうえに、多様な意匠性を呈することができる。
【００１７】
また、庇本体部の両側縁の外側面側を、軒元から建物の外方に向かって突出する外部補強材によって補強することで、庇本体部の剛性を増加させることができる。
【００１８】
さらに、庇本体部の両側縁の内側面側に内部補強材を配置することで、より剛性を上げることができる。また、内部補強材を軒元近辺で軒元中央に向けて屈曲させることで、軒元に沿った方向の力に対する剛性を増加させることができる。
【００１９】
そして、庇本体部とアーム部材とを溶接によって固定することで、強固に一体化させることができる。また、アーム部材が四角筒状に形成されていれば、様々な方向から作用する力に対して抵抗させることができる。
【００２０】
さらに、化粧部材の表面の中間部に長手方向に沿って目隠板が略水平方向に突出されている場合は、この目隠板によって庇本体部の後端部の継ぎ目が外側から見えなくなり、意匠的外観が良くなる。また、目隠板の先端部が下方に傾斜している場合は、庇本体部の後端部の継ぎ目が確実に外側から見えなくなり、より意匠的外観が向上する。
【図面の簡単な説明】
【００２１】
【図１】本発明の実施の形態の庇の取付構造の構成を説明する断面図である。
【図２】本発明の実施の形態の庇の取付構造により庇が設けられた建物の構成を説明する側面図である。
【図３】アーム部材の構成を示す図であって、（ａ）は平面図、（ｂ）は正面図である。
【図４】化粧部材の構成を示す斜視図である。
【図５】庇本体部の構成を示す平面図である。
【図６】庇本体部とアーム部材との接合箇所周辺の構成を示す拡大平面図である。
【図７】（ａ）は図６のＡ−Ａ矢視方向で見た断面図、（ｂ）は図６のＢ−Ｂ矢視方向で見た断面図である。
【図８】化粧部材を庇本体部に嵌める工程を示した説明図である。
【図９】庇本体部に屋根材を取り付ける工程を示した説明図である。
【図１０】庇本体部にパラペットを取り付ける工程を示した説明図である。
【図１１】固定用部材の取付状態を示した斜視図である。
【図１２】固定用部材の構成を示した斜視図である。
【発明を実施するための形態】
【００２２】
以下、本発明の実施の形態について図面を参照して説明する。図１は、本実施の形態の庇２の取付構造の構成を説明する図、図２はその取付構造によって庇２が設けられた建物１の構成を示す図である。
【００２３】
この建物１には、庇２が玄関ポーチの庇として設けられている。この庇２の取付構造は、図１，９に示すように、庇本体部２０の厚さ寸法よりも縦長の固定部３ａを有するアーム部材３，３と、アーム部材３，３の挿通用の孔４ａ，４ａが設けられた庇本体部２０の軒元に沿って取り付けられる長尺の化粧部材４とを有している。
【００２４】
図５，８に示すように、アーム部材３，３は、建物１の外方に向かって突出する庇本体部２０の軒元に沿って間隔を置いて取り付けられる。アーム部材３は、図３に示すように、建物１側に配置される長方形板状の固定部３ａと、その固定部３ａを覆う断面がＵ字形のカバー部３ｂと、固定部３ａに装着される複数のボルト３１，３１，３１Ａとから主に構成される。
【００２５】
固定部３ａは、図３（ａ）に示すようにカバー部３ｂの溝を塞ぐように溶接によって固定される。また、これによって筒状となる固定部３ａとカバー部３ｂの底は、図３（ｂ）に示すように底板３ｄで塞がれ、固定部３ａとカバー部３ｂとの間の空間は、複数の中板３ｅ，３ｅで遮蔽される。
【００２６】
ここで、固定部３ａ、カバー部３ｂ、底板３ｄ及び中板３ｅ，３ｅは鋼材によって形成され、それぞれは溶接によって接合される。このように節のある四角筒状のアーム部材３は、様々な方向から作用する力に対して抵抗可能な高い剛性を備えている。
【００２７】
また、カバー部３ｂとは反対側にボルト軸が突出するように固定部３ａに３本のボルト３１，３１，３１Ａが装着される。このボルト３１，３１Ａのボルト軸は、カバー部３ｂと固定部３ａとの空間より長いため、ボルト３１，３１Ａが外れることはない。
【００２８】
これらのボルト３１，３１，３１Ａは、上段と中段のボルト３１，３１が同じ長さで、下段のボルト３１Ａは少し短くなっている。また、上段のボルト３１は固定部３ａの上部に配置され、中段のボルト３１と下段のボルト３１Ａは庇本体部２０の厚さの範囲に配置される。
【００２９】
一方、化粧部材４は、図９に示すように建物１側に面する側となる裏面が開放された長蓋形状を呈しており、蓋の底面となる正面の左右両端部近傍には、図４に示すようにアーム部材３，３を挿通するための四角形の孔４ａ，４ａが形成されている。
【００３０】
また、図４，１に示すように、化粧部材４の表面の下端部近傍には、長手方向に沿って、断面視略Ｌ字形の見切板４ｂが略水平方向に突出して設けられている。
【００３１】
さらに、この化粧部材４の表面の中間部には、長手方向に沿って、目隠板４ｃが略水平方向に突出して設けられている。ここで、この目隠板４ｃの先端部は下方に傾斜されており、図１に示すように庇本体部２０の後端部の継ぎ目が外側から見えないようになっている。
【００３２】
なお、この目隠板４ｃの後端部には立上部が設けられており、この立上部が図１に示すように固定用リベット４１によって化粧部材４の表面に固定されている。
【００３３】
続いて庇本体部２０について、図５−７を参照しながら説明する。庇本体部２０は、図５に示すように平面視四角形の外縁を形成するフレーム材２１と、庇本体部２０の軒元側の両側縁を補強する外部補強材２５及び内部補強材２６とによって主に構成される。
【００３４】
フレーム材２１は、軒元側となる建物１に対峙させる軒元枠２１ｂと、軒元枠２１ｂの両側から建物１の外方に向かって略平行に延びる一対の張出枠２１ｃ，２１ｃと、軒元枠２１ｂと略平行となって張出枠２１ｃ，２１ｃの端部間を繋ぐ軒先枠２１ｄとによって構成される。
【００３５】
また、張出枠２１ｃ，２１ｃ間には、それらと略平行となる複数の受桟２１ｇ，・・・が軒元枠２１ｂと軒先枠２１ｄとの間に差し渡される。また、軒元側の受桟２１ｇ，・・・上には、張出枠２１ｃ，２１ｃ間に水切受桟２１ｆが差し渡される。
【００３６】
そして、軒元枠２１ｂの両端の建物１側の側面には、図５，６に示すようにアーム部材３，３が接合される。また、アーム部材３，３間の軒元枠２１ｂの側面には、凸部２１ａ，２１ａが接合される。
【００３７】
アーム部材３は、図６に示すように、軒元枠２１ｂとの間にスペーサ２７ｂを介在させた状態でカバー部３ｂ側を軒元枠２１ｂ側にして溶接によって固定する。
【００３８】
また、アーム部材３のカバー部３ｂの側面と軒元枠２１ｂとの間は、三角板３ｃで繋いで水平方向（軒元枠２１ｂの長尺方向）の力に対する補強をおこなう。
【００３９】
なお、図６及び図７（ｂ）に示すように、アーム部材３と軒元枠２１ｂとの間のスペーサ２７ｂだけでなく、軒元枠２１ｂの建物１側の側面には複数のスペーサ２７ａを取り付けておく。
【００４０】
そして、張出枠２１ｃの外側には、図６，７（ａ）に示すように外部補強材２５を配置する。この外部補強材２５は、帯状の鋼板によって形成され、図５に示すようにアーム部材３との溶接箇所から張出枠２１ｃの３／４程度の長さまで延設される。外部補強材２５は、張出枠２１ｃの外側面に溶接によって接合されている。
【００４１】
一方、張出枠２１ｃの内側には、図６，７（ａ）に示すように内部補強材２６を配置する。この内部補強材２６には、図６に示すように軒元近辺で軒元の中央に向けて屈曲された傾斜部２６ａが形成される。すなわち、図６に示すように２枚の鋼板を軸線が交差する角度で突き合わせて、内角側を溶接によって接合する。
【００４２】
この傾斜部２６ａの先端は、図６に示すように断面視コ字形の軒元枠２１ｂの内空に収容され、軒元枠２１ｂの内周面に溶接によって固定される。また、内部補強材２６の張出枠２１ｃに沿って配置される箇所は、溶接によって張出枠２１ｃの内側面に接合されている。
【００４３】
また、内部補強材２６には、図１，６に示すように、吊具となるアイボルト（図示省略）を装着するためのナット２１ｅと干渉する箇所に切欠２６ｂが形成されている。
【００４４】
次に、本実施の形態の庇２の取付構造の施工方法について説明する。
【００４５】
まず、図８（ａ）に示すように、下面に軒天材２２が貼設されたフレーム材２１の軒元枠２１ｂ側に固定されたアーム部材３，３の上部に、化粧部材４の孔４ａ，４ａをそれぞれ挿通させる。
【００４６】
続いて、図８（ｂ）に示すように化粧部材４を降下させ、孔４ａ，４ａが下になるように化粧部材４を回し、図８（ｃ）に示した状態になるように化粧部材４を起こす。
【００４７】
ここで、アーム部材３の下段のボルト３１Ａは、他のボルト３１，３１に比べて少し短くなっているので、化粧部材４を回す際に孔４ａの縁にボルト３１Ａを接触させることなく起こすことができる。
【００４８】
また、フレーム材２１の軒元枠２１ｂには、凸部２１ａ，２１ａが設けられており、化粧部材４の対応する位置には、嵌合孔４ｄ，４ｄが形成されており、凸部２１ａ，２１ａが嵌合孔４ｄ，４ｄに嵌め込まれることにより、フレーム材２１と化粧部材４とが一体化される。
【００４９】
そして、図９に示すように、フレーム材２１の上面に下地材２３をドリルねじ２３ａ，・・・を使って固定し、さらにその上面に屋根材２４を接着剤で固定する。
【００５０】
続いて、図１０に示すように、フレーム材２１、軒天材２２、下地材２３及び屋根材２４を一体としたものの外側からその縁に沿って、門形状のパラペット２８を嵌め込む。そのうえで、パラペット２８の上面から固定ネジ２８ａ，・・・を螺合するとアーム部材３，３及び化粧部材４を備えた庇本体部２０が組み上がる。また、化粧部材４の表面にパラペット２８の端部を突き当てた箇所には、コーキング処理を施す。
【００５１】
この庇本体部２０には、図６に示すようにフレーム材２１の張出枠２１ｃの上面の複数個所にナット２１ｅ，・・・が取り付けられており、そのナット２１ｅ，・・・に装着されるアイボルト（図示省略）によって、クレーンを使った輸送手段としてのトラックなどの荷台への積み込み、又は荷台からの積み下ろしが可能とされている。
【００５２】
こうして工場で庇本体部２０とアーム部材３，３と化粧部材４とを一体に作り上げたものを、建物１がある建築現場に搬送する。建物１側では、図１１に示したように、天井梁１１に上端部が接合された中柱５１と間柱５２との間に建物内部構成部材としての固定用部材６が取り付けられている。
【００５３】
この固定用部材６は、図１２に示したように、裏面が開口した箱形状をしており、箱の底側にはアーム部材３のボルト３１，３１，３１Ａを通すためのボルト孔６ａ，６ａ，６ａが形成されている。
【００５４】
また、固定用部材６の両側面には、中柱５１と間柱５２とにボルト止めするためのボルト孔６ｂ，・・・が形成されている。そして、固定用部材６は、ボルト１３，・・・とナット１２，・・・とにより、中柱５１と間柱５２との間に取り付けられている。
【００５５】
この固定用部材６は、図１に示すように建物１の上側の外壁部１５Ａと下側の外壁部１５Ｂとの間に露出されている。そこで、庇本体部２０を吊り上げ、アーム部材３，３のボルト３１，３１，３１Ａを固定用部材６のボルト孔６ａ，６ａ，６ａに通してナット３１ａ，３１ａ，３１ａを締め付けると、図１及び図２に示したように建物１に庇２が設けられることとなる。なお、化粧部材４の孔４ａは、見切板４ｂや目隠板４ｃによって水の浸入が阻止される空間に配置されるため、防水処理は必要ない。
【００５６】
次に、本実施の形態の庇２の取付構造の作用効果について説明する。
【００５７】
このように構成された本実施の形態の庇２の取付構造は、建物１に庇本体部２０を取り付けるための庇２の取付構造である。そして、庇本体部２０の厚さ寸法よりも縦長の固定部３ａを有するアーム部材３，３と、アーム部材３，３の挿通用の孔４ａ，４ａが設けられた庇本体部２０の軒元に沿って取り付けられる長尺の化粧部材４とを有する。
【００５８】
また、アーム部材３，３は、庇本体部２０の軒元枠２１ｂの両端に取り付けられるとともに庇本体部２０を建物１側の固定用部材６に固定させるために使用され、化粧部材４がアーム部材３，３の外方から被せられる。
【００５９】
このように固定用部材６に固定されるアーム部材３の固定部３ａ側が庇本体部２０の厚さ寸法よりも縦長のため、庇本体部２０の支持強度が高い。そのうえ、庇本体部２０の軒元にアーム部材３，３が取り付けられる構成であるため、庇本体部２０には様々な構造のものを採用でき、設計の自由度が高いうえに、多様な意匠性を呈することができる。
【００６０】
よって、例えば、庇２を通常よりも低くして設けても、美観を呈するものにすることができる。
【００６１】
ここで、アーム部材３は、溶接によってフレーム材２１側に強固に固定されている。このため、アーム部材３は、庇本体部２０の付け根の部分に働く大きなせん断力に耐え得るだけでなく、余分な材料を用いない無駄のない形状にすることができる。
【００６２】
また、アーム部材３が四角筒状に形成されているうえに、底板３ｄや中板３ｅ，３ｅが竹の節のように配置されていれば、様々な方向から作用する力に対して抵抗させることができる。
【００６３】
そして、庇本体部２０の両側縁の外側面側を、軒元から建物１の外方に向かって突出する外部補強材２５，２５によって補強することで、庇本体部２０の剛性を増加させることができる。
【００６４】
さらに、庇本体部２０の両側縁の内側面側に内部補強材２６，２６を配置することで、より剛性を上げることができる。また、内部補強材２６，２６を軒元近辺で軒元中央に向けて屈曲させた傾斜部２６ａ，２６ａを設けることで、軒元枠２１ｂの長尺方向の力に対する剛性を増加させることができる。
【００６５】
また、化粧部材４の表面の中間部に長手方向に沿って目隠板４ｃが略水平方向に突出されている場合は、この目隠板４ｃによって庇本体部２０の後端部の継ぎ目が外側から見えなくなり、意匠的外観が良くなる。
【００６６】
さらに、目隠板４ｃの先端部が下方に傾斜している場合は、庇本体部２０の後端部の継ぎ目が確実に外側から見えなくなり、より意匠的外観が向上する。
【００６７】
以上、図面を参照して、本発明の実施の形態を詳述してきたが、具体的な構成は、この実施の形態に限らず、本発明の要旨を逸脱しない程度の設計的変更は、本発明に含まれる。
【００６８】
例えば、前記実施の形態では、庇２を玄関ポーチの庇としたが、これに限定されるものではなく、例えば、窓などの庇の取付構造としても本発明を適用することができる。
【００６９】
また、前記実施の形態では、アーム部材３を２つ用いた形態について説明したが、これに限定されるものではなく、３つ以上のアーム部材を配置することもできる。
【００７０】
さらに、前記実施の形態では、アーム部材３を固定する建物内部構成部材として固定用部材６を使用したが、これに限定されるものではなく、中柱５１や間柱５２に直接、固定したり、天井梁１１などの建物内部構成部材に固定したりすることができる。
【００７１】
また、前記実施の形態では、説明を分かり易くするために、目隠板４ｃの表面の高さ位置を庇本体部２０の表面の高さ位置より若干高くして実施したが、これに限定されない。すなわち、庇本体部２０の後端部の部分には樋が設けられるため、実際には庇本体部２０の表面にはこの後端部に向かって下る傾斜が設けられるので、これを考慮して目隠板４ｃの表面の高さ位置を庇本体部２０の表面の高さ位置と略同一にして実施してもよい。
【符号の説明】
【００７２】
１          建物
２          庇
２０        庇本体部
２５        外部補強材
２６        内部補強材
２６ａ      傾斜部
３          アーム部材
３ａ        固定部
４          化粧部材
４ａ        （アーム部材の挿通用の）孔
４ｃ        目隠板
６          固定用部材（建物内部構成部材）
【図１】
0005972043.tif 000002
【図２】
0005972043.tif 000003
【図３】
0005972043.tif 000004
【図４】
0005972043.tif 000005
【図５】
0005972043.tif 000006
【図６】
0005972043.tif 000007
【図７】
0005972043.tif 000008
【図８】
0005972043.tif 000009
【図９】
0005972043.tif 000010
【図１０】
0005972043.tif 000011
【図１１】
0005972043.tif 000012
【図１２】
0005972043.tif 000013